(57)【要約】【課題】省エネルギー化と乾燥時間の短縮化を図ることができる衣類乾燥機を提供する。【解決手段】水平または傾斜した回転軸により支持されて、洗濯物を収容するドラム４と、ドラム４を回転駆動する駆動手段１０と、ドラム４から排出された乾燥用空気を再びドラム４内へ循環させる循環風洞１７と、循環風洞１７に接続して、ドラム４の底部側から乾燥用空気を送り出す送風口１８と、ドラム４の内底部に設けられ、複数の通風孔２７を有する通風体２６とを備え、通風孔２７は、ドラム４の内底部側から外底部側に向けてテーパ状に拡大し、通風孔２７の内壁の傾斜角度は、少なくとも一部が、ドラム４の回転に伴い送風口１８に対向するときに、送風口１８からの乾燥用空気の吹出方向と一致するように構成される。【選択図】図７
2014014584.tif 000002
【特許請求の範囲】
【請求項１】
水平または傾斜した回転軸により支持されて、洗濯物を収容するドラムと、
前記ドラムを回転駆動する駆動手段と、
乾燥用空気を前記ドラムへ導く風路と、
前記風路に接続して、前記ドラムの底部側から所定の角度をもって乾燥用空気を送り出す送風口と、
前記風路に設けられ、乾燥用空気を前記ドラムに送風する送風手段と、
前記ドラムの内底部に設けられ、複数の通風孔を有する通風体とを備え、
前記通風孔は、前記ドラムの内側から前記送風口側に向けてテーパ状に拡大し、
前記通風孔の内壁の傾斜角度は、少なくとも一部が、前記ドラムの回転に伴い前記送風口に対向するときに、前記送風口からの乾燥用空気の吹出方向と一致するように構成された衣類乾燥機。
【請求項２】
中心から放射状に形成された複数のアーム部を有して、前記ドラムの外底部に取り付けられたドラム固定部材と、
前記ドラムの底部に形成され、前記アーム部によって区切られる複数の通風部とを備え、各々の前記通風部に設けられる通風孔は、同一方向のテーパ形状である請求項１に記載の衣類乾燥機。
【請求項３】
前記通風孔は、前記ドラムの外底部側が長形となるように一方向にテーパ形状を構成した請求項１または２記載の衣類乾燥機。
【請求項４】
前記通風孔は、前記通風孔の上部における前記ドラムの内底部側から外底部側へ傾斜する角度と、前記通風孔の下部における前記ドラムの内底部側から外底部側へ傾斜する角度とが異なるよう構成された請求項１または２に記載の衣類乾燥機。
【請求項５】
前記風路は、上方から下方に向かって前記送風口と接続する構成であって、
前記ドラムの回転に伴い前記送風口に対向するときの前記通風孔は、前記通風孔の上部内壁の方が、下部内壁よりも上方に傾斜している請求項１〜４のいずれか１項に記載の衣類乾燥機。
【発明の詳細な説明】
【技術分野】
【０００１】
本発明は、衣類等の繊維製品の乾燥をおこなう洗濯乾燥機や衣類乾燥機に関する。
【背景技術】
【０００２】
従来の洗濯乾燥機は、被乾燥物を収容するドラムの底面に通風体が設けられている（例えば、特許文献１、２参照）。図１５は、特許文献１に示す従来の衣類乾燥機のドラム底部を示す正面図、図１６は、従来の衣類乾燥機のドラム底部を示す側断面図である。従来のドラム式洗濯乾燥機の洗濯物を収容するドラム１４と、ドラム４を回転可能に内包した外槽１０１と、ドラム１０４を回転駆動する駆動手段１１０とを備え、ドラム１０４は、外底部に取り付けたドラム固定部材１２４によって駆動手段１１０と連係している。ドラム固定部材１２４は、駆動手段１１０と直接連係する軸受部１２４ａと、ドラム１０４と連係する環状部１２４ｂと、軸受部１２４ａから放射状に環状部１２４ｂに向かって形成した複数のアーム部１２４ｃによって構成されている。複数のアーム部１２４ｃによりドラム１０４の外底部に形成された複数の通風部１２５と、通風部１２５をドラム１０４の内側から覆い、回転軸１１１と同一方向に開口した通風孔１２７を設けた通風体１２６を有し、前記外槽１０１は、ドラム１０４内に乾燥用空気を供給する送風口１１８を有している。
【０００３】
乾燥用空気を効果的にドラム１０４内に導入させるため、外槽１０１の壁面から内方に向けて突出した複数個の略円形の凸状リブ１２０と、環状部１２４ｂの外底面に形成した複数個の略円形の凹状リブ１２１との組合せで非接触のシール部を構成している。なお、前記凸状リブ１２０と凹状１２１は谷部と山部が非接触ではまり込むように構成している。
【０００４】
図１７は、特許文献２に示す従来の衣類乾燥機の断面図、図１８は、従来の衣類乾燥機の一部を示す背面斜視図である。特許文献２の衣類乾燥機のドラム２０４の底面には、ドラム２０４の回転とともに回転する通風体としてのバックフィルタ２２６が設けられている。送風口２１８は外槽２０１の上部に設けられている。外槽２０１内に送風される空気が下向きとなるように、循環風路２１７は送風口２１８に向けて下向きに接続している。また、送風口２１８から送風される乾燥用空気がドラム２０４内の下方に向けて送風されるように、通風孔２２７が送風口２１８と対向するときに、下向きになるように配置されている。送風口２１８から送風される乾燥用空気の向きと通風孔２２７を同方向に形成することにより、洗濯物に乾燥用空気が十分に当たるようにして乾燥効果を高めている。
【先行技術文献】
【特許文献】
【０００５】
【特許文献１】特開２００６−８１５７４号公報
【特許文献２】特開２０１０−１８７９６２号公報
【発明の概要】
【発明が解決しようとする課題】
【０００６】
しかしながら、どちらの構成においても、乾燥用空気が通風体を通過するときに、通風孔における乾燥用空気の圧力損失が大きく、乾燥効果が低減されるという課題を有していた。
【０００７】
本発明は、前記従来の課題を解決するもので、乾燥用空気が流れる際の圧力損失を低減して、省エネルギー化と乾燥時間の短縮化を図ることができる衣類乾燥機を提供すること
を目的とする。
【課題を解決するための手段】
【０００８】
前記従来の課題を解決するために、本発明の衣類乾燥機は、
水平または傾斜した回転軸により支持されて、洗濯物を収容するドラムと、
前記ドラムを回転駆動する駆動手段と、
乾燥用空気を前記ドラムへ導く風路と、
前記風路に接続して、前記ドラムの底部側から乾燥用空気を送り出す送風口と、
前記風路に設けられ、乾燥用空気を前記ドラムに送風する送風手段と、
前記ドラムの内底部に設けられ、複数の通風孔を有する通風体とを備え、
前記通風孔は、前記ドラムの内側から前記送風口側に向けてテーパ状に拡大し、
前記通風孔の内壁の傾斜角度は、少なくとも一部が、前記ドラムの回転に伴い前記送風口に対向するときに、前記送風口からの乾燥用空気の吹出方向と一致するように構成されたものである。
【発明の効果】
【０００９】
本発明の衣類乾燥機は、より多くの乾燥用空気をドラムに送りこむことができるため、乾燥時間を短縮して、省エネルギー性の高い乾燥運転が可能となる。
【図面の簡単な説明】
【００１０】
【図１】本発明の実施の形態における衣類乾燥機の断面図
【図２】同衣類乾燥機の通風体の正面図
【図３】同衣類乾燥機の図２のＡ−Ａ断面図
【図４】同衣類乾燥機の通風体の背面図
【図５】同衣類乾燥機のドラム、通風体、ドラム固定部材の分解図
【図６】同衣類乾燥機のドラム内部正面図
【図７】同衣類乾燥機の図６のＢ−Ｂ断面図
【図８】同衣類乾燥機の通風孔拡大図
【図９】同衣類乾燥機のドラム内部の一部欠損正面図
【図１０】同衣類乾燥機の凸状リブ・凹状リブ拡大図
【図１１】同衣類乾燥機の送風口正面に洗濯物がある状態のドラム内部正面図
【図１２】同衣類乾燥機の送風口正面に洗濯物がある状態の図６のＣ−Ｃ断面図
【図１３】同衣類乾燥機の送風口正面に洗濯物がある状態の図１２のＤ拡大図
【図１４】同衣類乾燥機のドラム回転に伴う乾燥用空気の通風孔吹出方向変化図
【図１５】従来の衣類乾燥機のドラム底部を示す正面図
【図１６】同衣類乾燥機のドラム底部を示す側断面図
【図１７】同衣類乾燥機の断面図
【図１８】同衣類乾燥機の一部を示す背面斜視図
【発明を実施するための形態】
【００１１】
本発明の衣類乾燥機は、
水平または傾斜した回転軸により支持されて、洗濯物を収容するドラムと、
前記ドラムを回転駆動する駆動手段と、
乾燥用空気を前記ドラムへ導く風路と、
前記風路に接続して、前記ドラムの底部側から所定の角度をもって乾燥用空気を送り出す送風口と、
前記風路に設けられ、乾燥用空気を前記ドラムに送風する送風手段と、
前記ドラムの内底部に設けられ、複数の通風孔を有する通風体とを備え、
前記通風孔は、前記ドラムの内側から前記送風口側に向けてテーパ状に拡大し、
前記通風孔の内壁の傾斜角度は、少なくとも一部が、前記ドラムの回転に伴い前記送風口に対向するときに、前記送風口からの乾燥用空気の吹出方向と一致するように構成されたものである。
【００１２】
これによって、送風口から送り出される乾燥用空気が通風孔に突入する際、通風孔はドラムの内底部側から送風口に対面する側である外底部に向けて逆テーパがついて拡大しているため、通風孔に乾燥用空気が流入しやすくなる。加えて、送風口から送り出される乾燥用空気は流れの向きを変えずに通風孔に進入、通過できるため、送風口からドラムに到達するまでの乾燥用空気の圧力損失を低く抑えることができる。その結果、送風に用いるエネルギーは同じまま、より多くの乾燥用空気をドラムに送りこむことができるため、省エネルギーな衣類乾燥が可能となる。
【００１３】
また、本発明の衣類乾燥機は、
中心から放射状に形成された複数のアーム部を有して、前記ドラムの外底部に取り付けられたドラム固定部材と、
前記ドラムの底部に形成され、前記アーム部によって区切られる複数の通風部とを備え、各々の前記通風部に設けられる通風孔は、同一方向のテーパ形状であるものである。
【００１４】
これによって、通風部が送風口に対向しているとき、送風口から送り出される乾燥用空気の流れの向きと通風孔の開口方向はほぼ同一方向となりつつも、ドラム回転に伴い開口方向は送風口に対して相対的に僅かに角度が変わるため、ドラム内部で洗濯物に向けて送り出される乾燥用空気の送風の向きも僅かに変わる。そのため、常に洗濯物に対して同一方向に乾燥用空気が送り込まれる場合と比べて、よりムラなく洗濯物に乾燥用空気が当たるため、洗濯物の乾燥が促進される。加えて、送風口から送り出される乾燥用空気の流れの向きと送風口に対向するときの通風孔の開口方向はほぼ同一方向であるため、乾燥用空気が通風孔を通過する際の圧力損失も低く抑えることができる。
【００１５】
また、本発明の衣類乾燥機の前記通風孔は、前記ドラムの外底部側が長形となるように一方向にテーパ形状を構成したものである。
【００１６】
これによって、通風孔の全方位にテーパがつく場合と比較して、通風体の強度維持のために必要な隣接する通風孔同士の間隔を狭めることができ、通風孔の数が増して、乾燥用空気の通風を促進できる。
【００１７】
また、本発明の衣類乾燥機の前記通風孔は、前記通風孔の上部における前記ドラムの内底部側から外底部側へ傾斜する角度と、前記通風孔の下部における前記ドラムの内底部側から外底部側へ傾斜する角度とが異なるよう構成されたものである。
【００１８】
これによって、通風孔の全方位にテーパがつく場合と比較して、通風体の強度維持のために必要な隣接する通風孔同士の間隔を狭めることができて通風孔の数が増して、乾燥用空気の通風を促進できる。
【００１９】
また、本発明の衣類乾燥機の前記通風孔は、前記通風孔の上部における前記ドラムの内底部側から外底部側へ傾斜する角度と、前記通風孔の下部における前記ドラムの内底部側から外底部側へ傾斜する角度とが異なるよう構成されたものである。
【００２０】
これによって、通風孔の全方位にテーパがつく場合と比較して、通風体の強度維持のために必要な隣接する通風孔同士の間隔を狭めることができて通風孔の数が増して、乾燥用空気の通風を促進できる。
【００２１】
また、本発明の衣類乾燥機の循環風洞は、上方から下方に向かって送風口と接続する構
成であって、前記ドラムの回転に伴い前記送風口に対向するときの前記通風孔は、前記通風孔の上部内壁の方が、下部内壁よりも上方に傾斜しているものである。
【００２２】
これによって、通風孔の上部は送風口からの風にあわせて上向きとしているので、乾燥用空気が通風口を通過する際の圧力損失を低く抑えることができる。また、通風孔の下部は上部に比べて傾斜が浅いために、通風体の強度維持のために必要な隣接する通風孔同士の間隔を狭めることができ、通風孔の数が増して、乾燥用空気の通風を促進できる。
【００２３】
以下、本発明の実施の形態について、図面を参照しながら説明する。なお、この実施の形態によって本発明が限定されるものではない。
【００２４】
（実施の形態１）
図１は、本発明の実施の形態における衣類乾燥機の断面図、図２は、同衣類乾燥機の通風体の正面図、図３は、同衣類乾燥機の図２のＡ−Ａ断面図、図４は、同衣類乾燥機の通風体の背面図、図５は、同衣類乾燥機のドラム、通風体、ドラム固定部材の分解図、図６は、同衣類乾燥機のドラム内部正面図、図７は、同衣類乾燥機の図６のＢ−Ｂ断面図、図８は、同衣類乾燥機の通風孔拡大図、図９は、同衣類乾燥機のドラム内部の一部欠損正面図、図１０は、同衣類乾燥機の凸状リブ・凹状リブ拡大図、図１１は、同衣類乾燥機の送風口正面に洗濯物がある状態のドラム内部正面図、図１２は、同衣類乾燥機の送風口正面に洗濯物がある状態の図６のＣ−Ｃ断面図、図１３は、同衣類乾燥機の送風口正面に洗濯物がある状態の図１２のＤ拡大図、図１４は、同衣類乾燥機のドラム回転に伴う乾燥用空気の通風孔吹出方向変化図、である。従来例と同じ構成のものは同一符号を用いて説明する。
【００２５】
図１において、外槽１は衣類乾燥機の筐体２の内部にて複数の弾性機構３やサスペンション機構（図示せず）により弾性的に支持されている。ドラム４は、前面側に洗濯物５を出し入れする投入口６を有し、有底筒状に構成され、外槽１内に配設されている。前記ドラム４は、回転軸１１で回転可能に設けられ洗濯物５を収納するものであり、ドラム４の周壁７には複数の排出孔８を設け、ドラム４内の周壁７には洗濯物５を効率的に持ち上げるための撹拌バッフル９を備えている。外槽１、ドラム４およびドラム４を回転支持する回転軸１１は、水平に対して角度θ、例えば２０°前上がりに傾けて配置されている。なお、本実施の形態において、ドラム４は傾斜した構成としたが、水平配置であってもよい。
【００２６】
外槽１の外部には駆動手段１０が設けられて、駆動手段１０の回転駆動によってドラム４が正逆回転される。ドラム４は、外底部に取り付けたドラム固定部材２４によって駆動手段１０と連係している。ドラム固定部材２４は駆動手段１０と直接連係する軸受部２４ａと、ドラム４と連係する環状部２４ｂと、軸受部２４ａから放射状に環状部２４ｂに向かって形成した複数のアーム部２４ｃによって構成されている。ドラム４にもドラム固定部材２４と同様に、ドラム固定部材２４のアーム部２４ｃに対抗する位置に複数のアーム部４ａが設けられている。アーム部４ａは、ドラム固定部材２４のアーム部２４ｃと同一方向に放射状に形成されている。
【００２７】
筐体２の前面には洗濯物５を出し入れする略円形状の投入口１２と、これを開閉する扉１３が設けられている。前記投入口１２と対向する外槽１の開口部はパッキン１４によって筐体２と気密構成を確保して連結されている。
【００２８】
乾燥工程時にドラム４から排出された乾燥用空気を再びドラム４内へ循環させる循環風洞１７（風路）が外槽１の上方に設けられている。乾燥用空気をドラム４内に供給する送風手段１５は、筐体２の略上部で、かつ循環風洞１７内に設けられている。
【００２９】
循環風洞１７の送風手段１５の上流には、乾燥用空気を除湿するため冷却水を供給する冷却水供給口２２と、熱交換器２３が設けられている。洗濯物５と接触し多湿になった乾燥用空気は、熱交換器２３で冷却されて除湿される。冷却水、及び除湿された水は、筐体２外に排出される。送風手段１５および熱交換器２３の上流側には、洗濯物５から飛散して乾燥用空気に乗って運ばれてくるリントを除去する乾燥フィルタ装置２９が設けられている。乾燥用空気を加熱する加熱手段１６は、循環風洞１７内の、送風手段１５の下流側に設けられている。なお、熱交換器２３は水冷式の除湿手段としたが、空冷式としてもよいし、ヒートポンプ式としてもよい。ヒートポンプ式の場合には、加熱手段１６を送風手段１５より上流側、かつ、熱交換器２３よりも下流側に配置して、熱交換器２３および加熱手段１６を冷媒管で接続して構成するとよい。
【００３０】
循環風洞１７の下流側は、外槽１の内筒底部に回転軸１１を避けて設けられた送風口１８と連通しており、ドラム４の底部側から乾燥用空気を送り出すようになっている。また、循環風洞１７は、上方から下方に向かうように送風口１８と接続している。よって、乾燥用空気は、送風口１８から下向きにドラム４の底部側からドラム４に送られる。循環風洞１７の上流側は、外槽１に設けられた排気口１９と連通しており、排気口１９の直後は乾燥フィルタ装置２９を設けた構成となっている。
【００３１】
送風口１８とドラム４内部の間には、ドラム４内部側から順に通風体２６、複数の通風部２５がある。通風体２６は、ドラム４のアーム部４ａとドラム固定部材２４のアーム部２４ｃとで裏表から挟み込まれ、固定されている。通風部２５は通風体２６、外槽１、ドラム固定部材２４のアーム部２４ｃとで仕切られた空間である。複数の通風部２５は、それぞれの通風を促進する風路２８を設けて構成されたことによってつながれている。風路２８は、通風体２６とアーム部２４ｃとの間の通風体２６に複数の開口部２６ａを設けることで構成されている。
【００３２】
通風体２６には、ドラム４と通風部２５をつなぐ多数の通風孔２７が設けられている。通風孔２７はドラム４の内底部側から外底部側に向けて逆テーパがついて拡大した構成となっている。通風孔２７の内壁は、ドラム４の外底部側がトラック楕円型の長形であり、ドラム４の内底部側が略対象な丸形となるように設けられている。また、通風孔２７は、通風孔２７の上部におけるドラム４の内底部側から外底部側へ傾斜する角度と、通風孔２７の下部におけるドラム４の内底部側から外底部側へ傾斜する角度とが異なるよう構成されている。詳細には、ドラム４の回転に伴い送風口１８に対向するときの通風孔２７は、回転軸１１を基準として、通風孔２７の上部内壁の方が、下部内壁よりも上に傾斜している。より詳細には、図８に示すように、通風孔２７の下部内壁は、回転軸１１に対して略平行である。通風孔２７の上部内壁は、回転軸方向に対して角度θ傾斜している。さらに、通風孔２７の開口方向は、ドラム４の回転に伴い送風口１８に対向するときに、いずれも通風孔２７の周壁の一部の角度が温風吹出方向と略同一方向になるように設けられている。また、同じ通風部２５に対向する通風孔２７は、同一のテーパ拡大方向に設定している。通風部２５を１単位として、１つの通風部２５に対向する通風孔２７は、同じ方向に開口している。また、通風部２５ごとに通風孔２７の開口方向は異なるように構成されている。
【００３３】
これによって、送風口１８から送り出される乾燥用空気が通風孔２７に突入する際、通風孔２７はドラム４の内底部側から送風口１８に対面する側である外底部に向けて逆テーパがついて拡大しており、ドラム４の外底部側の方が、通風孔２７が大きくなっているため、通風孔２７に乾燥用空気が流入しやすくなる。加えて、送風口１８から送り出される乾燥用空気は流れの向きを変えずに通風孔２７に進入、通過できるため、送風口１８からドラム４に到達するまでの乾燥用空気の圧力損失を低く抑えることができる。その結果、送風に用いるエネルギーは同じまま、より多くの乾燥用空気をドラム４に送りこむことが
できるため、省エネルギーな衣類乾燥が可能となる。
【００３４】
また、通風孔２７の開口のうちドラム４の内底部側の通風孔２７の大きさは小さくて済むため、通風体２６の強度維持のために制限される通風孔２７の数や大きさをより大きくすることができる。通風孔２７の全方位にテーパがつく場合と比較して、通風体２６の強度維持のために必要な隣接する通風孔２７同士の間隔を狭めることができ、通風孔２７の数が増して、乾燥用空気の通風を促進できる。
【００３５】
また、通風部２５が送風口１８に対向しているとき、送風口１８から送り出される乾燥用空気の流れの向きと通風孔２７の開口方向はほぼ同一方向となりつつも、ドラム４の回転に伴い開口方向は送風口１８に対して相対的に僅かに角度が変わるため、ドラム４内部で洗濯物に向けて送り出される乾燥用空気の送風の向きも僅かに変わる。そのため、常に洗濯物に対して同一方向に乾燥用空気が送り込まれる場合と比べて、よりムラなく洗濯物に乾燥用空気が当たるため、洗濯物の乾燥が促進される。
【００３６】
乾燥用空気は、加熱手段１６を通過した後、送風口１８、送風口１８に対面している通風部２５、通風孔２７の順に通風してドラム４内部に到着するか、送風口１８に対面している通風部２５に通風した後、風路２８を介して別の通風部２５を経てドラム４内部に到着する。
【００３７】
通風部２５はドラム４とともに回転するため、主に通風するのは複数あるうちその時点で送風口１８と対向しているものである。ドラム４から排出される乾燥用空気は、排気口１９、循環風洞１７、乾燥フィルタ装置２９、熱交換器２３、送風手段１５、送風口１８、通風部２５、ドラム４を循環する構成になっている。以上の乾燥用空気の流れ（図１の矢印で示す）を循環空気経路１７ａとして構成している。
【００３８】
尚、乾燥用空気からリントを除去する観点から、排気口１９を出てすぐに乾燥フィルタ装置２９を設ける必要がある。また乾燥フィルタ装置２９は掃除などメンテナンスしやすさから使用者が筐体２の前に立つ側、すなわち筐体２のうち投入口１２側にあることが望ましい。そうなると、循環空気経路１７ａを短く抑えて低圧損風路とするためには乾燥用空気をドラム４の投入口１２側から抜くことが好ましくなる。送風口１８は、乾燥用空気をなるべく長くドラム４に滞留させて洗濯物５と長い時間接触させるために、外槽１の底部付近に設けることが望ましい。
【００３９】
循環空気経路１７ａを流れる乾燥用空気を効果的にドラム４に導入させるため、外槽１の壁面から内方に向けて突出した複数個の略円形の凸状リブ２０と、環状部２４ｂの外底面に形成した複数個の略円形の凹状リブ２１との組合せで非接触のシール部を構成している。非接触シール部は、送風口１８を内包しドラム４の回転軸１１を囲むように設けられている。なお、凸状リブ２０と凹状リブ２１は谷部と山部が非接触ではまり込むように構成されている。
【００４０】
以上のように構成された衣類乾燥機について、以下にその動作、作用を説明する。
【００４１】
乾燥行程では、ドラム４が濡れた洗濯物５を内部に保有して回転している。乾燥用空気は送風手段１５によって送風され、加熱手段１６を通過した後、送風口１８、通風部２５、通風孔２７の順に通風してドラム４内部に到着するか、通風部２５に通風した後、風路２８を介して別の通風部２５を経てドラム４内部に到着する。ドラム４に到着した乾燥用空気は、濡れた洗濯物５と接触して洗濯物５を乾燥させた後、ドラム４を出て外槽１に設けられた排気口１９から外槽１を出ていく。その後、乾燥用空気は、乾燥フィルタ装置２９、熱交換器２３を通過し、再び送風手段１５、加熱手段１６を通過することで循環して
いる。
【００４２】
送風口１８から送り出される乾燥用空気は図７の矢印Ｑのように流れの向きをほとんど変えずに通風孔２７に進入、通過できるため、送風口１８からドラム４に到達するまでの乾燥用空気の圧力損失を低く抑えることができる。その結果、送風手段１５に用いるエネルギーは同じまま、より多くの乾燥用空気をドラム４に送りこむことができるため、省エネルギーな衣類乾燥が可能となる。
【００４３】
また、通風部２５が送風口１８に対向しているとき、送風口１８から送り出される乾燥用空気の流れの向きと通風孔２７の開口方向はほぼ同一方向となりつつも、ドラム４の回転に伴い開口方向は送風口１８に対して相対的に僅かに角度が変わるため、ドラム４内部で洗濯物５に向けて送り出される乾燥用空気の送風の向きも図１４の矢印Ｒのように僅かに変わる。そのため、常に洗濯物５に対して同一方向に乾燥用空気が送り込まれる場合と比べて、よりムラなく洗濯物５に乾燥用空気が当たるため、洗濯物５の乾燥が促進される。加えて、送風口１８から送り出される乾燥用空気の流れの向きと送風口１８に対向するときの通風孔２７の開口方向はほぼ同一方向であるため、乾燥用空気が通風孔２７を通過する際の圧力損失を低く抑えることができる。
【００４４】
通風孔２７の逆テーパは、送風口１８から送風される乾燥用空気が通風孔２７に導入されるドラム４の外底部側が長形となるように一方向に逆テーパを設けているため、全方位にテーパがつく場合と比較して、通風体２６の強度維持のために必要な隣接する通風孔２７同士の間隔を狭めることができて通風孔２７の数が増して、乾燥用空気の通風を促進できる。また、通風孔２７が送風口１８に対向するときに、送風口１８から送風される乾燥用空気の向きにのみ逆テーパがついているので、逆テーパが全方位である場合と比較しても通風孔２７への乾燥用空気の導入しやすさには遜色ない。
【００４５】
一方、通風体２６はドラム４内部と接しているため、ドラム４内部に保有された洗濯物５とも接する。そのため、洗濯物５が通風体２６に設けられた通風孔２７の一部を塞いで、その時点で送風口１８と面する通風部２５から通風孔２７を通過してドラム４内部に流入しようとする乾燥用空気をせき止めることもある。
【００４６】
そこで、本実施の形態においては、通風部２５同士を接続する風路２８が設けられている。これによって、せき止められた乾燥用空気は、隣接する通風部２５同士を接続する開口部２６ａによって形成された風路２８を図１３の矢印Ｖのように通過して、洗濯物５に塞がれていない通風孔２７からドラム４内部に流入して、洗濯物５の乾燥を促進する。このように、複数の通風部２５の全てを有効に乾燥用空気の通風に用いることができるため、外槽１の壁面から内方に向けて突出した複数個の略円形の凸状リブ２０と、環状部２４ｂの外底面に形成した複数個の略円形の凹状リブ２１との組合せで構成したシール部を抜けていく乾燥用空気は減り、ドラム４内部を通過する乾燥用空気の流量が増加して、洗濯物５の乾燥時間を短縮することができる。しかも、風路２８は通風体２６のドラム４とドラム固定部材のアーム部４ａ、２４ｃと対向する位置に設けているため、アーム部４ａ，または２４ｃに設けて従来の部材厚みが減ることによる強度低下や、外槽１に設けて筐体２との隙間が減ることによる外槽１の筐体２との衝突（輸送時など）の危険を避けることができる。
【００４７】
以上のように、本実施の形態においては、通風孔２７における通風抵抗の減少や、ドラム４の回転に伴い洗濯物５に送風される乾燥用空気の送風の向きが僅かに変わることによってムラなく洗濯物５に送風される乾燥の促進、通風体２６と外槽１とアーム部２４ｃによって複数に区切られた通風部２５を風路２８でつないで、すべての通風部２５と通風孔２７を有効活用することによって、乾燥運転の省エネルギー化と乾燥時間の短縮化を図る
ことができる。
【００４８】
尚、本実施の形態における送風口１８と排気口１９の位置が逆である場合でも、通風孔２７と排気口１９の排気の向きが略同一方向であったり、通風部２５を連通する風路２８を設けることなどは、本実施の形態に記したことと同一の効果が得られるため、有用である。
【００４９】
さらに、本実施の形態において、衣類乾燥機として洗濯機能を備えた洗濯乾燥機としたが、洗濯機能を備えていない場合にも同様に実施可能である。その場合には、水槽を有さないため、たとえばドラム４の背面側に背面板を設ける。背面板は、筐体側に固定された部材であるため、ドラム４の回転に関わらず回転することがない。風路の下流の送風口を背面板に設けるなどして、ドラム４に対して乾燥用空気の送風を行う。このとき、乾燥用空気の送風方向に所定の角度を持たせて送風するようにする。ドラム４の内底部に設けられた通風体２６の通風孔２７は、上記実施の形態にあるように、送風口に対向するときに乾燥用空気の送風方向を含むようなテーパ形状とする。ことのき、通風部２５これにより、洗濯乾燥機と同様の構成となり、同様の効果を奏する。
【産業上の利用可能性】
【００５０】
以上のように、本発明にかかる衣類乾燥機は、省エネルギー化と乾燥時間の短縮化を図ることができるため、乾燥機、および洗濯乾燥機として有用である。
【符号の説明】
【００５１】
１  外槽
２  筐体
３  弾性機構
４  ドラム
４ａ  アーム部
５  洗濯物
６  投入口
７  周壁
８  排出孔
９  撹拌バッフル
１０  駆動手段
１１  回転軸
１２  投入口
１３  扉
１４  パッキン
１５  送風手段
１６  加熱手段
１７  循環風洞（風路）
１７ａ  循環空気経路
１８  送風口
１９  排気口
２０  凸状リブ
２１  凹状リブ
２２  冷却水供給口
２３  熱交換器
２４  ドラム固定部材
２４ａ  軸受部
２４ｂ  環状部
２４ｃ  アーム部
２５  通風部
２６  通風体
２６ａ  開口部
２７  通風孔
２８  風路
２９  乾燥フィルタ装置
【図１】
2014014584.tif 000003
【図２】
2014014584.tif 000004
【図３】
2014014584.tif 000005
【図４】
2014014584.tif 000006
【図７】
2014014584.tif 000007
【図８】
2014014584.tif 000008
【図１１】
2014014584.tif 000009
【図１５】
2014014584.tif 000010
【図１６】
2014014584.tif 000011
【図５】
2014014584.tif 000012
【図６】
2014014584.tif 000013
【図９】
2014014584.tif 000014
【図１０】
2014014584.tif 000015
【図１２】
2014014584.tif 000016
【図１３】
2014014584.tif 000017
【図１４】
2014014584.tif 000018
【図１７】
2014014584.tif 000019
【図１８】
2014014584.tif 000020